(57)【特許請求の範囲】
【請求項１】
近距離無線通信が可能である移動体端末装置であって、前記移動体端末装置は、自装置の端末識別情報を格納する格納手段と、端末装置との間の近距離無線通信において、前記端末装置からの接続要求を受信すると共に、前記端末識別情報を前記端末装置に送信する通信手段と、前記端末識別情報を変更する変更手段と、前記接続要求に含まれる前記端末装置の識別情報を判別する判別手段と、を具備し、前記変更手段は、前記判別手段の判別結果に基づいて前記端末識別情報を変更することを特徴とする移動体端末装置。
【請求項２】
前記判別手段は、セキュリティレベルを判別し、前記変更手段は、前記セキュリティレベルに応じて前記端末識別情報を変更することを特徴とする請求項１記載の移動体端末装置。
【請求項３】
互いに近距離無線通信が可能である移動体端末装置及び端末装置を備えた端末識別情報変更システムであって、前記移動体端末装置は、自装置の端末識別情報を格納する格納手段と、端末装置との間の近距離無線通信において、前記端末装置からの接続要求を受信すると共に、前記端末識別情報を前記端末装置に送信する通信手段と、前記端末識別情報を変更する変更手段と、前記移動体端末装置の端末識別情報の変更を判断する管理装置と、を備え、前記管理装置は、前記接続要求に含まれる前記端末装置の識別情報とセキュリティレベルとを関連づけた管理情報を有し、前記変更手段は、前記管理情報に基づいて前記端末識別情報を変更することを特徴とする端末識別情報変更システム。
【発明の詳細な説明】
【技術分野】
【０００１】
本発明は移動体端末装置に関し、特に無線ＬＡＮ（Wireless-Local Area Network）システムに対応する移動体端末装置及び端末識別情報変更システムに関する。
【背景技術】
【０００２】
近年、低コスト、広帯域の近距離無線通信として無線ＬＡＮ（Local Area Network）やBluetoothなどが注目を浴びている。この無線ＬＡＮやBluetoothでは、接続処理時にユーザの移動体端末装置の識別情報が近接エリアに随時報告されるようになっている。具体的には、無線ＬＡＮの標準規格であるＩＥＥＥ８０２．１１ｂなどでは、接続要求する端末装置は、ビーコン、プローブなど（以下、接続要求信号という）を送出し、接続可能範囲に別の端末装置がいないか確認する。ここで、受信側の端末装置は、送信側の端末装置に返信した場合に、互いが近接（接続可能範囲）にいることを把握する。なお、通常、受信側の端末装置は、送信された接続要求信号に含まれるＳＳＩＤ（Service  Set  ID）が、受信側の端末装置で保持するものと同じ場合にのみ返信する。この接続要求信号には、端末装置の識別情報であるＭＡＣアドレスが含まれる（特許文献１参照）。
【特許文献１】特開２００３−２７４４５４号公報
【発明の開示】
【発明が解決しようとする課題】
【０００３】
しかしながら、接続要求信号が送出された場合、端末装置が識別情報を相手に送出することは、端末装置の在圏有無、移動履歴を収集されることになるため、ユーザの行動をトレースされる危険性がある。このため、ユーザのセキュリティやプライバシーの確保が難しいという問題がある。この問題は、パーソナルコンピュータのように必要時のみ無線機能をＯＮにする機器では特に問題にはならないが、今後、携帯電話などのように常時無線ＬＡＮ機能がＯＮになる機器が普及した場合には問題となる。
【０００４】
本発明はかかる点に鑑みてなされたものであり、近距離無線通信システムにおいてユーザのセキュリティやプライバシーの確保を行うことができる移動体端末装置及び端末識別情報変更システムを提供することを目的とする。
【課題を解決するための手段】
【０００５】
本発明の移動体端末装置は、近距離無線通信が可能である移動体端末装置であって、前記移動体端末装置は、自装置の端末識別情報を格納する格納手段と、端末装置との間の近距離無線通信において、前記端末装置からの接続要求を受信すると共に、前記端末識別情報を前記端末装置に送信する通信手段と、前記端末識別情報を変更する変更手段と、前記接続要求に含まれる前記端末装置の識別情報を判別する判別手段と、を具備し、前記変更手段は、前記判別手段の判別結果に基づいて前記端末識別情報を変更することを特徴とする。
【０００６】
この構成によれば、移動体端末装置が端末装置に近接したとき毎に、近距離無線通信により移動体端末装置の端末識別情報が端末装置に送られても、移動体端末装置の行動履歴をトレースされることがない。その結果、セキュリティ、プライバシーの確保することができる。
【０００８】
本発明の移動体端末装置においては、前記判別手段は、セキュリティレベルを判別し、前記変更手段は、前記セキュリティレベルに応じて前記端末識別情報を変更することが好ましい。
【０００９】
本発明の端末識別情報変更システムは、互いに近距離無線通信が可能である移動体端末装置及び端末装置を備えた端末識別情報変更システムであって、前記移動体端末装置は、自装置の端末識別情報を格納する格納手段と、端末装置との間の近距離無線通信において、前記端末装置からの接続要求を受信すると共に、前記端末識別情報を前記端末装置に送信する通信手段と、前記端末識別情報を変更する変更手段と、前記移動体端末装置の端末識別情報の変更を判断する管理装置と、を備え、前記管理装置は、前記接続要求に含まれる前記端末装置の識別情報とセキュリティレベルとを関連づけた管理情報を有し、前記変更手段は、前記管理情報に基づいて前記端末識別情報を変更することを特徴とする。
【００１０】
この構成によれば、端末識別情報を適宜変更するので、移動体端末装置が端末装置に近接したとき毎に、近距離無線通信により移動体端末装置の端末識別情報が端末装置に送られても、移動体端末装置の行動履歴をトレースされることがない。その結果、セキュリティ、プライバシーの確保することができる。
【発明の効果】
【００１２】
本発明によれば、近距離無線通信が可能である移動体端末装置であって、前記移動体端末装置は、自装置の端末識別情報を格納する格納手段と、端末装置との間の近距離無線通信において、前記端末装置からの接続要求を受信すると共に、前記端末識別情報を前記端末装置に送信する通信手段と、前記端末識別情報を変更する変更手段と、を具備するので、近距離無線通信システムにおいてユーザのセキュリティやプライバシーの確保を行うことができる移動体端末装置及び端末識別情報変更システムを提供することができる。
【発明を実施するための最良の形態】
【００１３】
以下、本発明の実施の形態について、添付図面を参照して詳細に説明する。
（実施の形態１）
図１は、本発明の実施の形態１に係る端末識別情報変更システムを説明するための図である。この端末識別情報変更システムにおいては、ショップ１に装備された端末装置であるアクセスポイント（ＡＰ）２と、移動体端末３との間で近距離無線通信を行う際に、移動体端末３がＡＰ２にアクセスする毎に端末識別情報であるＭＡＣ（Media Access Control）アドレスを変更する。すなわち、同一のショップ１への来訪において、一回目の来訪と二回目の来訪とで無線ＬＡＮ接続の際のＭＡＣアドレスを変更する。これにより、ショップ１においては、無線ＬＡＮ接続のシーケンスから一回目の来訪者と二回目の来訪者とが同一であることが確認できない。そのため、無線ＬＡＮ通信システムにおいてユーザのセキュリティやプライバシーの確保を行うことができる。ここでは、近距離無線通信が無線ＬＡＮ通信（Local Area Network）である場合について説明する。
【００１４】
図２は、本発明の実施の形態に係る端末識別情報変更システムにおける端末装置を示す概略ブロック図である。端末装置２は、装置全体を制御する制御部２１と、移動体端末１と無線ＬＡＮ通信を行う通信部２２と、種々の情報を表示する表示部２３と、端末識別情報などを格納する格納部２４とから主に構成されている。
【００１５】
制御部２１は、端末識別情報を含む所定の情報を格納部２４に格納したり、種々の情報を表示部２３に表示させる指示を行ったり、移動体端末１との間での無線ＬＡＮ通信の指示を行う。通信部２２は、移動体端末１との間で端末識別情報の送受信を行う。格納部２４は、移動体端末１の端末識別情報や、自装置の端末識別情報などを格納する。なお、格納部２４は、ＲＯＭ、ＲＡＭ、ハードディスクなどにより構成される。
【００１６】
図３は、本発明の実施の形態１に係る端末識別情報変更システムにおける移動体端末を示す概略ブロック図である。移動体端末３は、端末全体を制御する制御部３１と、端末装置２と無線ＬＡＮ通信を行う通信部３２と、種々の情報を表示する表示部３３と、端末装置２から送られるサービスセットＩＤ（ＳＳＩＤ）とあらかじめ設定されたＳＳＩＤとを照合する照合部３４と、端末識別情報を格納する格納部３５と、アプリケーションを動作させるアプリ制御部３６と、端末装置２の識別情報や端末装置２から送られるＳＳＩＤなどの識別情報を判別する判別部３７と、自装置の端末識別情報（ここではＭＡＣアドレス）を変更する変更部３８とから主に構成されている。
【００１７】
制御部３１は、通信部３２に対して端末装置２との間での無線ＬＡＮ通信の指示を行う。また、制御部３１は、端末装置２から送られるＳＳＩＤを照合するように照合部３３に指示する。また、制御部３１は、種々の情報を表示部３４に表示させる指示を行う。制御部３１は、自装置の端末識別情報（ここではＭＡＣアドレス）を格納するように格納部３５に指示する。また、制御部３１は、アプリケーションプログラムを実行するようにアプリ制御部３６に指示する。また、制御部３１は、ＳＳＩＤや他の識別情報を判別するように判別部３７に指示する。また、制御部３１は、判別部３７の判別結果に基づいて端末識別情報（ここではＭＡＣアドレス）を変更するように変更部３８に指示する。
【００１８】
通信部３２は、端末装置２との間で端末識別情報の送受信を行ったり、後述する移動通信センター６を介して管理サーバ５との間で種々の情報を送受信する。また、通信部３２は、ブラウザ機能やメーラ機能を備えている。なお、通信部３２は、光通信、赤外線通信、Bluetooth通信などにも対応できる構成を備えていても良い。
【００１９】
格納部３５は、端末装置２の端末識別情報、共通ＳＳＩＤや、自装置の端末識別情報などを格納する。なお、格納部３５は、ＲＯＭ、ＲＡＭ、ハードディスクなどにより構成される。
【００２０】
アプリ制御部３６は、制御部３１の指示に応じてアプリケーション言語（例えばＪａｖａ（登録商標）言語）で作成されたアプリケーションプログラムを実行する。アプリ制御部３６は、必要に応じて後述する管理サーバ５との間で端末識別情報の変更が必要かどうかの問い合わせや応答を行うためのアプリケーションを起動する。
【００２１】
判別部３７は、ＳＳＩＤのような識別情報や端末装置２の端末識別情報（ＭＡＣアドレス）やセキュリティレベルなどを判別し、自装置の端末識別情報（ＭＡＣアドレス）を変更する必要があるかどうかを判別する。例えば、判別部３７は、ＳＳＩＤやＭＡＣアドレスなどの識別情報と、自装置の端末識別情報の変更の有無とを関連づけたテーブルを備え、そのテーブルを用いて端末識別情報を変更する必要があるかどうかを判別する。なお、テーブルで管理する項目については、少なくとも識別情報と自装置の端末識別情報の変更の有無とが関連づけられていれば、特に制限はない。
【００２２】
変更部３８は、判別部３７の判別結果に基づいて、制御部３１からの指示により、あるいは、後述する管理サーバ５への問い合わせの応答情報に基づいて、自装置の端末識別情報（ＭＡＣアドレス）を変更する。
【００２３】
変更部３８により端末識別情報を変更するタイミングは、近距離無線通信の接続毎（同一の端末装置（ＡＰ）か異なる端末装置（ＡＰ）かに拘らず接続毎、あるいは異なる端末装置（ＡＰ）に接続する際）、近距離無線通信のサービスに応じて、他の端末装置２からのビーコンを受信したとき、プローブ要求の応答のとき、一定時間経過後、一定時刻後、所定回数の接続後、移動体端末３におけるユーザの特定の操作（データ通信実施、音声通信実施、電源の投入／切断、変更指示など）を行ったときなどが挙げられる。なお、異なる端末装置に接続する場合や異なるサービスに接続する場合には、判別部３７においてＳＳＩＤやＭＡＣアドレスなどの識別情報を判別結果に応じて変更を行う。
【００２４】
また、移動体端末３に事前に設定された特定の端末装置のＭＡＣアドレスやＳＳＩＤなどの識別情報に対してのみ自装置の端末識別情報を変更するように設定しても良い。さらに、移動体端末３に事前に設定された特定の地域や場所（ＧＰＳ（Global Positioning System）やＲＦＩＤ（Radio Frequency Identification）などにより判別することができる）の識別情報に対してのみ自装置の端末識別情報を変更するように設定しても良い。さらに、特定の条件下、例えば送信元の端末装置が前記のような事前設定のＭＡＣアドレスやＳＳＩＤに一致する、事前設定の場所や時刻の場合に、特定のＭＡＣアドレスで返信するようにしても良い。この場合においては、プライバシー問題を低減しつつ、移動体端末を特定することが可能となる。このため、ユーザが要望するセキュリティレベルに応じたサービスを提供することが可能となる。
【００２５】
変換部３８における端末識別情報を変更する方法としては、第三者に解析されない方法、例えば、複数の端末識別情報のそれぞれに事前に設定した特定の値を加減算、剰余算、ＭＯＤ計算、ハッシュ、乱数、カオス計算などする方法、時刻情報に基づいて乱数、算術演算をする方法などが挙げられる。端末識別情報、例えばＭＡＣアドレスは有限であるので、これらのＭＡＣアドレスを使いまわす必要がある。この場合においても、使いまわしの順番は乱数、時刻情報に基づく算術演算などにより行う。
【００２６】
無線ＬＡＮ通信においては、一般に、端末装置との間の接続にセキュリティを向上するためにＭＡＣアドレスフィルタリング機能が利用される。したがって、この機能と抵触しないように、特定のＳＳＩＤを受信したときのみＭＡＣアドレスを変更する処理を行うことが望ましい。反対に、特定のＳＳＩＤを受信したとき、あるいは、特定のＳＳＩＤで特定の端末装置との接続に固定のＭＡＣアドレスを用いるようにしても良い。
【００２７】
例えば、特定のＳＳＩＤを受信したときにＭＡＣアドレスを変更する場合には、受信したＳＳＩＤを照合部１７で照合し、あらかじめ保持する特定のＳＳＩＤと一致したときに、制御部１１に制御信号を出力し、制御部１１が変更部１９に制御信号を送る。変更部１９は、その制御信号を受け取ると、ＭＡＣアドレスを変更する。具体的には、図１３に示すように、複数のＭＡＣアドレス６１，６２がリスト化されて格納部１４に格納されており、そのリストにおいてＭＡＣアドレスを変更する。
【００２８】
また、セキュリティに関しては、移動体端末３に、無線ＬＡＮ接続を利用するアプリケーション毎（ＳＳＩＤ毎、接続先端末装置（ＡＰ）毎）にセキュリティレベルを設定し、セキュリティレベルが相対的に高いアプリケーションでは頻繁にＭＡＣアドレスを変更し、セキュリティレベルが相対的に低いアプリケーションではＭＡＣアドレスを変更しない、又は変更頻度を低くするように設定しても良い。
【００２９】
図４は、本発明の実施の形態１に係る端末識別情報の変更を説明するためのシーケンス図である。まず、図１に示すように、ユーザがショップ１に一回目の来訪をしたときに、移動体端末３と端末装置２との間で無線ＬＡＮ通信を行う（ＳＴ１１〜ＳＴ１３）。この無線ＬＡＮ通信の手順は、ＩＥＥＥ８０２．１１における接続時の標準手順と同じである。まず、端末装置２は、無線ＬＡＮ信号の到達範囲に報知信号としてビーコンを送信する（ＳＴ１１）。このビーコンには、共通ＳＳＩＤ、端末装置の端末識別情報であるＭＡＣアドレスなどが含まれる。次いで、移動体端末３が無線ＬＡＮ信号の到達範囲に入り、そのビーコンを通信部３２を介して受けると、照合部３３で格納部３５に格納されている共通ＳＳＩＤとビーコンに含まれる共通ＳＳＩＤとを照合する。そして、共通ＳＳＩＤが一致した場合には、認証・アソシエーション処理を行った（ＳＴ１２）後に、無線ＬＡＮ接続が行われる（ＳＴ１３）。なお、認証・アソシエーション処理において、移動体端末３と端末装置２との間でＧＷアドレスやホストアドレスなどが送受信される。また、無線ＬＡＮ接続中においては、取得した端末装置２の端末識別情報は、移動体端末３の格納部３５に格納される。一回目の来訪においては、移動体端末３は、自装置の端末識別情報として図５（ａ）に示すＭＡＣアドレス（00-11-43-2E-4B-D1）を用いる。
【００３０】
次いで、図１に示すように、ユーザがショップ１に二回目の来訪をしたときに、移動体端末３と端末装置２との間で無線ＬＡＮ通信を行う（ＳＴ１４〜ＳＴ１７）。まず、端末装置２は、無線ＬＡＮ信号の到達範囲に報知信号としてビーコンを送信する（ＳＴ１４）。このビーコンには、共通ＳＳＩＤ、端末装置の端末識別情報であるＭＡＣアドレスなどが含まれる。次いで、移動体端末３が無線ＬＡＮ信号の到達範囲に入り、そのビーコンを受けると、照合部３３で格納部３５に格納されている共通ＳＳＩＤとビーコンに含まれる共通ＳＳＩＤとを照合する。そして、共通ＳＳＩＤが一致した場合には、端末装置２のＭＡＣアドレスを判別部３７に送る。判別部３７においては、端末装置２のＭＡＣアドレスと、格納部３５に格納されている以前来訪したショップの端末装置のＭＡＣアドレスとを照合する。そして、受信した端末装置２のＭＡＣアドレスが以前来訪したショップの端末装置のＭＡＣアドレスと同じであれば、ここでは、受信した端末装置２のＭＡＣアドレスがＭＡＣアドレス（00-11-43-2E-4B-D1）であれば、すなわち、同じショップに来訪したと判断して、その旨の制御信号を制御部３１に出力する。
【００３１】
制御部３１は、制御信号を受け取ると、変更部３８に対してＭＡＣアドレスを変更するように指示する。そして、変更部３８は、自装置のＭＡＣアドレスを変更する（ＳＴ１５）。次いで、移動体端末３は、変更したＭＡＣアドレスを用いて認証・アソシエーション処理を行い（ＳＴ１６）、その後、無線ＬＡＮ接続が行われる（ＳＴ１７）。なお、認証・アソシエーション処理において、移動体端末３と端末装置２との間でＧＷアドレスやホストアドレスなどが送受信される。また、無線ＬＡＮ接続中においては、取得した端末装置２の端末識別情報は、移動体端末３の格納部３５に格納される。二回目の来訪においては、移動体端末３は、自装置の端末識別情報として図５（ｂ）に示すＭＡＣアドレス（00-11-43-2E-4B-D2）を用いる。
【００３２】
上記手順では、端末装置２から移動体端末３に報知信号としてビーコンを送信する態様について説明しているが、端末装置２からビーコンを送信する代わりに、まず、移動体端末３から端末装置２にプローブ要求を行い、端末装置２がプローブ要求を受信した際にプローブ応答を移動体端末３に送信するようにしても良い。なお、プローブ要求には、移動体端末３の端末識別情報であるＭＡＣアドレスなどが含まれ、プローブ応答には、共通ＳＳＩＤや、端末装置２の端末識別情報であるＭＡＣアドレスなどが含まれる。
【００３３】
このように、本発明に係る端末識別情報変更システムにおいては、端末識別情報を適宜変更するので、移動体端末３が端末装置２に近接したとき毎に、無線ＬＡＮ通信により移動体端末３の端末識別情報が端末装置２に送られても、移動体端末３の行動履歴をトレースされることがない。その結果、セキュリティ、プライバシーの確保することができる。
【００３４】
（実施の形態２）
本実施の形態においては、移動体端末が、管理サーバに格納された、接続要求に含まれる識別情報とセキュリティレベルとを関連づけた管理情報に基づいて端末識別情報を変更する場合について説明する。
【００３５】
図６は、本発明の実施の形態２に係る端末識別情報変更システムの概略構成を示す図である。図６に示すシステムは、移動体端末３と、この移動体端末３と近距離無線通信、例えば無線ＬＡＮ通信やBluetooth通信により通信が可能である端末装置２と、端末装置２とインターネット４のようなネットワークを介して接続された管理サーバ５と、移動体端末３と移動通信網を介して接続された移動通信センター６とから主に構成されている。
【００３６】
端末装置２及び移動体端末３については、実施の形態１と同様であるので詳細な説明を省略する。移動通信センター３は、例えばｉモード（登録商標）サーバなどを有すると共に、移動通信網とインターネット４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。ネットワークには、インターネット４をはじめその他のネットワーク、例えばＬＡＮやＷＡＮなども含まれる。
【００３７】
図７は、本発明の実施の形態２に係る端末識別情報変更システムにおける管理サーバを示す概略ブロック図である。管理サーバ５は、端末全体を制御する制御部５１と、端末装置２及び移動体端末３と通信を行う通信部５２と、移動体端末３からの問い合わせに応じて端末識別情報の変更の要否を確認する、すなわちセキュリティレベルを確認するレベル確認部５３と、アプリケーションを動作させるアプリ制御部５４とから主に構成されている。
【００３８】
制御部５１は、通信部５２に対して端末装置２や移動体端末３との間での通信の指示を行う。また、制御部３１は、移動体端末３からの問い合わせに応じて端末識別情報の変更の要否を確認するようにレベル確認部５３に指示する。また、制御部３１は、アプリケーションプログラムを実行するようにアプリ制御部３６に指示する。
【００３９】
通信部５２は、端末装置２との間で端末識別情報の送受信を行ったり、移動体端末３との間で移動通信センター６を介して問い合わせ及び応答情報を含む種々の情報を送受信する。
【００４０】
レベル確認部５３は、移動体端末３からの問い合わせに応じて端末識別情報の変更の要否を確認する。このレベル確認部５３では、特定のＭＡＣアドレスや特定のＳＳＩＤなどの識別情報について、移動体端末３から問い合わせがあった場合に、その特定のＭＡＣアドレスや特定のＳＳＩＤなどの識別情報のセキュリティレベルを確認し、移動体端末３の自装置の端末識別情報の変更が必要であるかどうかの情報（応答情報）を出力する。この場合、レベル確認部５３は、図８に示すような、識別情報（図８においてはＭＡＣアドレス）と、セキュリティレベルと、移動体端末３の端末識別情報の変更の有無とを関連づけた管理テーブルを有することが好ましい。このような管理テーブルを用いることにより、レベル確認部５３は、問い合わせがあった識別情報を用いて管理テーブルを参照し、セキュリティレベル及び／又は端末識別情報変更の有無の情報を出力する。この情報は、応答情報として通信部５２を介して移動体端末３に送られる。なお、管理テーブルで管理する項目については、少なくとも識別情報と、セキュリティレベルと、自装置の端末識別情報の変更の有無とが関連づけられていれば、特に制限はない。
【００４１】
アプリ制御部５４は、制御部５１の指示に応じてアプリケーション言語（例えばＪａｖａ（登録商標）言語）で作成されたアプリケーションプログラムを実行する。アプリ制御部５４は、必要に応じて移動体端末３との間で端末識別情報の変更が必要かどうかの問い合わせや応答を行うためのアプリケーションを起動する。
【００４２】
図９は、本発明の実施の形態２に係る端末識別情報の変更を説明するためのシーケンス図である。移動体端末３が無線ＬＡＮ通信以外の通信、例えばＷＣＤＭＡ（Wide-band Code Division Multiple Access）により、これから無線ＬＡＮ接続する端末装置２の識別情報（ＭＡＣアドレスやＳＳＩＤ）を取得する。この識別情報は、移動体端末３の格納部３５に格納される。
【００４３】
次いで、格納部３５に格納された識別情報（ここではＭＡＣアドレス）についてのセキュリティレベルを確認するため、すなわち自装置の端末識別情報を変更する必要があるかどうかを確認するために、管理サーバ５に問い合わせを行う（ＳＴ２１）。このとき、移動体端末３及び管理サーバ５のそれぞれのアプリ制御部３６，５４によりアプリケーションが起動する。また、問い合わせには、問い合わせに係る識別情報が管理サーバ５に送られる。
【００４４】
管理サーバ５は、移動通信網及びインターネット４を介して移動体端末３からの問い合わせを受け取ると、制御部５１がレベル確認部５３に対して問い合わせに係る識別情報のセキュリティレベルを確認するように指示する。レベル確認部５３では、問い合わせに係る識別情報であるＭＡＣアドレスを用いて管理テーブルを参照してレベル確認を行い（ＳＴ２２）、セキュリティレベルと移動体端末３の端末識別情報を変更するかどうかの情報を制御部５１に出力する。制御部５１は、この情報を応答情報として通信部５２を介して移動体端末３に送信する。
【００４５】
移動体端末３においては、応答情報を受け取ると、制御部３１が応答情報を判別部３７に送る。判別部３７においては、応答情報における端末識別情報変更の有無の情報を抽出し、その結果を変更部３８に出力する。変更部３８は判別部３７の判別結果に基づいて自装置の端末識別情報（ＭＡＣアドレス）を変更する（ＳＴ２３）。例えば、管理サーバ５から、問い合わせに係る識別情報はセキュリティレベルが高いので変更が必要であるとの応答情報を受けると、変更部３８で自装置のＭＡＣアドレスを変更する。
【００４６】
次いで、移動体端末３と端末装置２との間で無線ＬＡＮ通信を行う（ＳＴ２４〜ＳＴ２６）。この無線ＬＡＮ通信の手順は、ＩＥＥＥ８０２．１１における接続時の標準手順と同じである。まず、端末装置２は、無線ＬＡＮ信号の到達範囲に報知信号としてビーコンを送信する（ＳＴ２４）。このビーコンには、共通ＳＳＩＤ、端末装置の端末識別情報であるＭＡＣアドレスなどが含まれる。次いで、移動体端末３が無線ＬＡＮ信号の到達範囲に入り、そのビーコンを通信部３２を介して受けると、照合部３３で格納部３５に格納されている共通ＳＳＩＤとビーコンに含まれる共通ＳＳＩＤとを照合する。そして、共通ＳＳＩＤが一致した場合には、認証・アソシエーション処理を行った（ＳＴ２５）後に、無線ＬＡＮ接続が行われる（ＳＴ２６）。なお、認証・アソシエーション処理において、移動体端末３と端末装置２との間でＧＷアドレスやホストアドレスなどが送受信される。また、無線ＬＡＮ接続中においては、取得した端末装置２の端末識別情報は、移動体端末３の格納部３５に格納される。
【００４７】
上記手順では、端末装置２から移動体端末３に報知信号としてビーコンを送信する態様について説明しているが、端末装置２からビーコンを送信する代わりに、まず、移動体端末３から端末装置２にプローブ要求を行い、端末装置２がプローブ要求を受信した際にプローブ応答を移動体端末３に送信するようにしても良い。なお、プローブ要求には、移動体端末３の端末識別情報であるＭＡＣアドレスなどが含まれ、プローブ応答には、共通ＳＳＩＤや、端末装置２の端末識別情報であるＭＡＣアドレスなどが含まれる。
【００４８】
このように、本発明に係る端末識別情報変更システムにおいては、端末識別情報を適宜変更するので、移動体端末３が端末装置２に近接したとき毎に、無線ＬＡＮ通信により移動体端末３の端末識別情報が端末装置２に送られても、移動体端末３の行動履歴をトレースされることがない。その結果、セキュリティ、プライバシーの確保することができる。
【００４９】
上記実施の形態１，２においては、移動体端末３の自装置の端末識別情報を変更する際に、端末装置２のＭＡＣアドレスの判別により変更を行う場合について説明しているが、本発明はこれに限定されず、上述したような他の変更トリガにより移動体端末３の自装置の端末識別情報を変更するようにしても良い。
【００５０】
本機能、すなわちＭＡＣアドレスを変更してプライバシーを確保する機能を搭載した移動体端末３においては、ユーザインタフェースにおいて、プライバシー保護を示すアイコンを表示しても良い。また、信頼できる特定の端末装置については、その特定の端末装置から端末識別情報を取得する場合には、ＭＡＣアドレスを変更せずに、信頼できる特定の端末装置であることを示すアイコンを表示しても良い。
【００５１】
本発明は上記実施の形態１，２に限定されず、種々変更して実施することが可能である。例えば、上記実施の形態１，２における処理手順は一例であり、本発明の範囲を逸脱しない範囲で適宜変更して実施することができる。また、上記実施の形態１，２においては、近距離無線通信が無線ＬＡＮ通信である場合について説明しているが、本発明においては、近距離無線通信がBluetooth通信などの他の通信であっても良い。その他、本発明の範囲を逸脱しない限りにおいて適宜変更して実施することが可能である。
【図面の簡単な説明】
【００５２】
【図１】本発明の実施の形態１に係る端末識別情報変更システムを説明するための図である。
【図２】本発明の実施の形態に係る端末識別情報変更システムにおける端末装置を示す概略ブロック図である。
【図３】本発明の実施の形態に係る端末識別情報変更システムにおける移動体端末を示す概略ブロック図である。
【図４】本発明の実施の形態１に係る端末識別情報の変更を説明するためのシーケンス図である。
【図５】（ａ），（ｂ）は、移動体端末におけるＭＡＣアドレスリストを示す図である。
【図６】本発明の実施の形態２に係る端末識別情報変更システムの概略構成を示す図である。
【図７】本発明の実施の形態２に係る端末識別情報変更システムにおける管理サーバを示す概略ブロック図である。
【図８】管理サーバにおける管理テーブルを示す図である。
【図９】本発明の実施の形態２に係る端末識別情報の変更を説明するためのシーケンス図である。
【符号の説明】
【００５３】
１  ショップ
２  端末装置
３  移動体端末
４  インターネット
５  管理サーバ
６  移動通信センター
２１，３１，５１  制御部
２２，３２，５２  通信部
２３，３４  表示部
２４，３５  格納部
３３  照合部
３６，５４  アプリ制御部
３７  判別部
３８  変更部
５３  レベル確認部
【図１】
0004699244.tif 000002
【図２】
0004699244.tif 000003
【図３】
0004699244.tif 000004
【図４】
0004699244.tif 000005
【図５】
0004699244.tif 000006
【図６】
0004699244.tif 000007
【図７】
0004699244.tif 000008
【図８】
0004699244.tif 000009
【図９】
0004699244.tif 000010